(57)【特許請求の範囲】
【請求項１】
樹木・植物の設置予定箇所の地中又は構造物に、鉢底部を下にして埋め込んで使用する植木鉢であって、
前記設置予定箇所に埋め込まれている固定用鉢本体と、
前記固定用鉢本体の内側に配置されており、樹木・植物が植えられる移動用鉢本体と、を備え、
前記移動用鉢本体の外面が前記固定用鉢本体の内面に接するように挿入された二重構造であり、
前記固定用鉢本体には、上端の縁の少なくとも一部に、上端の縁から外側に突出するフランジが形成されており、
前記フランジに沿って、前記移動用鉢本体の内側に突出した形状に形成されており、前記フランジの上に配置されている転倒防止フランジを備え、
前記転倒防止フランジは、設置場所及び前記フランジに固定されていることを特徴とする植木鉢。
【請求項２】
前記固定用鉢本体及び前記移動用鉢本体には、それぞれ水抜き穴が形成されており、
前記移動用鉢本体は、前記水抜き穴が、前記固定用鉢本体の前記水抜き穴と重ならないように、前記固定用鉢本体の内側に配置され、
前記移動用鉢本体の内側に入った水は、前記移動用鉢本体の前記水抜き穴及び前記固定用鉢本体の前記水抜き穴を介して、前記固定用鉢本体の外側に移動可能であり、
前記移動用鉢本体の前記水抜き穴が前記固定用鉢本体の内面に塞がれることで、
前記移動用鉢本体の内側に充填された土砂は、前記固定用鉢本体の外側に流出せず、
前記移動用鉢本体に植えられた樹木・植物の根は、前記固定用鉢本体の外側に伸びないことを特徴とする請求項１に記載の植木鉢。
【請求項３】
前記固定用鉢本体及び前記移動用鉢本体は、その形状が、各前記鉢底部に向かって内法寸法が細くなる多角錐形状に形成されていることを特徴とする請求項１又は２に記載の植木鉢。
【請求項４】
前記固定用鉢本体の内面及び前記移動用鉢本体の外面の少なくともいずれかに０．１ｃｍ以上１ｃｍ以下の突起を１つ以上有することを特徴とする請求項１乃至３のいずれか１項に記載の植木鉢。
【発明の詳細な説明】
【技術分野】
【０００１】
本発明は、植木鉢に関し、詳しくは、樹木・植物の設置予定箇所の地中又は構造物に、鉢底部を下にして埋め込んで使用する植木鉢に関する。
【背景技術】
【０００２】
従来、樹木・植物は、成長にともない根が地中に張り巡らされ、植え替えるのは困難である。
【０００３】
そこで、特許文献１には、胴体が縦に複数の分割片を備え、隣り合う胴体片の上端相互を両方の胴体片に跨るコ字上のピンで係止し、底板は周縁が立ち上げられた立ち上げ部を撓え、胴体片の下端は、当該立ち上げ部の内側に嵌め込まれるとともに、係止ピンを立ち上げ部の外側から貫挿する植木鉢が提案されている（特許文献１参照）。この特許文献１の植木鉢によれば、樹木・植物の植え替えの際には、胴体片を複数に分割することで、根回りが露わになり、植え替えが容易となる。
【先行技術文献】
【特許文献】
【０００４】
【特許文献１】特開２０１５−３５９８０号公報
【発明の概要】
【発明が解決しようとする課題】
【０００５】
しかしながら、特許文献１の植木鉢は、地上に設置され、根が張った植木鉢の周囲に作業スペースが確保できる鉢植えの樹木・植物に適用できたとしても、地中やコンクリート等の構造物の内部に植えられ、根回りに作業スペースが取れないない地植えの樹木・植物には適用できない。このような既存の地植えの樹木・植物の地中に張った根を掘り出すのは、鉢植えの樹木・植物を植え替える場合に比べ、更に困難である。
【０００６】
既存の地植えの樹木・植物を掘り起こす際、地中に張った根が広範囲に広がっていると掘り出すのにかなりの労力と手間を要する。重機等が使える場所である場合には労力と手間が軽減されるが、手作業による掘り起こしは困難な場合も考えられる。
【０００７】
既存の地植えの樹木・植物が成長して高さや大きさが想定以上になったり、近くに植えてある他の樹木・植物との景観・趣向に合わなくなったりした場合に、新たな樹木・植物と植え替えようとしても、既存の地植えの樹木・植物の地中に張っている根を掘り出して抜き取る事はかなりの手間と労力を必要とする。
【０００８】
本発明は、上述した問題を解決するためになされたもので、地植えの樹木・植物の植え替えを容易にする植木鉢を提供することを目的とする。
【課題を解決するための手段】
【０００９】
（１）  樹木・植物の設置予定箇所の地中又は構造物に、鉢底部を下にして埋め込んで使用する植木鉢であって、
前記設置予定箇所に埋め込まれている固定用鉢本体と、
前記固定用鉢本体の内側に配置されており、樹木・植物が植えられる移動用鉢本体と、を備え、
前記移動用鉢本体の外面が前記固定用鉢本体の内面に接するように挿入された二重構造であり、
前記固定用鉢本体には、上端の縁の少なくとも一部に、上端の縁から外側に突出するフランジが形成されており、
前記フランジに沿って、前記移動用鉢本体の内側に突出した形状に形成されており、前記フランジの上に配置されている転倒防止フランジを備え、
前記転倒防止フランジは、設置場所及び前記フランジに固定されていることを特徴とする植木鉢。
【００１０】
（１）の構成によれば、樹木・植物の設置予定箇所の地中又は構造物に、鉢底部を下にして埋め込んで使用する植木鉢は、固定用鉢本体と、移動用鉢本体と、を備える。
固定用鉢本体は、樹木・植物の設置予定箇所に埋め込まれている。
移動用鉢本体は、固定用鉢本体の内側に配置されており、樹木・植物が植えられる。
そして、植木鉢は、移動用鉢本体の外面が固定用鉢本体の内面に接するように挿入された二重構造である。
【００１１】
このように、樹木・植物が植えられた移動用鉢本体を、埋め込まれている固定用鉢本体の内部に挿入して二つの鉢を重ねる二重構造とすることで、地植えされた樹木・植物を移動用鉢本体ごと、固定用鉢本体から引き抜き、例えば、他の場所に植え替えたり、この移動用鉢本体が引き抜かれた固定用鉢本体に、他の樹木・植物が植えられた移動用鉢本体を挿入したりすることができる。
したがって、地植えの樹木・植物の植え替えを容易にする植木鉢を提供できる。
また、固定用鉢本体の上端の縁の少なくとも一部に、上端の縁から外側に突出するフランジが形成され、このフランジに沿って、移動用鉢本体の内側に突出した形状に形成され、フランジの上に配置されている転倒防止フランジを備え、転倒防止フランジが、設置場所及びフランジに固定されていることにより、移動用鉢本体や固定用鉢本体が転倒するのを防止できるとともに、移動用鉢本体の上部において、内部から外部へ、土砂が流出するのを防止できる。
【００１２】
（２）  前記固定用鉢本体及び前記移動用鉢本体には、それぞれ水抜き穴が形成されており、
前記移動用鉢本体は、前記水抜き穴が、前記固定用鉢本体の前記水抜き穴と重ならないように、前記固定用鉢本体の内側に配置され、
前記移動用鉢本体の内側に入った水は、前記移動用鉢本体の前記水抜き穴及び前記固定用鉢本体の前記水抜き穴を介して、前記固定用鉢本体の外側に移動可能であり、
前記移動用鉢本体の前記水抜き穴が前記固定用鉢本体の内面に塞がれることで、
前記移動用鉢本体の内側に充填された土砂は、前記固定用鉢本体の外側に流出せず、
前記移動用鉢本体に植えられた樹木・植物の根は、前記固定用鉢本体の外側に伸びないことを特徴とする（１）に記載の植木鉢。
【００１３】
このように、固定用鉢本体及び移動用鉢本体に水抜き穴を形成し、移動用鉢本体を、水抜き穴が、固定用鉢水抜き穴と重ならないように、固定用鉢本体の内側に配置することで、移動用鉢本体の内側に入った水を固定用鉢本体の外側に移動可能であり、移動用鉢本体の内側に充填された土砂は、固定用鉢本体の外側に流出せず、移動用鉢本体に植えられた樹木・植物の根は、前記固定用鉢本体の外側に伸びない。
よって、地植えの樹木・植物を移動用鉢本体内部に植えても、根腐れしたり、養分が不足したり、必要以上に根が張ってしまうのを防止することができる。
【００１４】
（３）  前記固定用鉢本体及び前記移動用鉢本体は、その形状が、各前記鉢底部に向かって内法寸法が細くなる多角錐形状に形成されていることを特徴とする（１）又は（２）に記載の植木鉢。
【００１５】
このように、固定用鉢本体及び移動用鉢本体の形状を、各鉢底部に向かって内法寸法が細くなる多角錐形状に形成することで、移動用鉢本体を上方へ引き抜くのが容易となり、移動用鉢本体が固定用鉢本体内部で回転してしまうのを防止できる。
よって、移動用鉢本体の挿入・抜去を容易にし、且つ挿入した移動用鉢本体の回転を抑制することで、例えば、台風等で移動用鉢本体に植えた樹木・植物が回転してしまうのを防止できる。
【００１６】
（４）  前記固定用鉢本体の内面及び前記移動用鉢本体の外面の少なくともいずれかに０．１ｃｍ以上１ｃｍ以下の突起を１つ以上有することを特徴とする（１）乃至（３）のいずれかに記載の植木鉢。
【００１７】
これにより、移動用鉢本体が、例えば、内部の土砂による圧力で膨張し、固定用鉢本体と密着してしまい、固定用鉢本体から引き抜けなくなるのを防止できる。
【発明の効果】
【００２０】
本発明によれば、地植えの樹木・植物の植え替えを容易にする植木鉢を提供できる。
【図面の簡単な説明】
【００２１】
【図１】本発明の実施形態に係る植木鉢の斜視図である。
【図２】本発明の実施形態に係る植木鉢の断面図である。
【図３】転倒防止フランジを含む、本発明の実施形態に係る植木鉢の斜視図である。
【図４】転倒防止フランジを設置した、本発明の実施形態に係る植木鉢の断面図である。
【図５】転倒防止フランジを設置した、本発明の実施形態に係る植木鉢の斜視図である。
【図６】転倒防止フランジ及び転倒防止支柱を設置した、本発明の実施形態に係る植木鉢の斜視図である。
【図７】本発明の実施形態に係る植木鉢を地盤である土や泥などに固定した場合の断面図である。
【図８】本発明の実施形態に係る植木鉢をコンクリート等に囲まれた設置個所に固定した場合の断面図である。
【発明を実施するための形態】
【００２２】
以下、図面を参照して、本発明に係る実施形態を説明する。
図１は、本発明の実施形態に係る植木鉢の斜視図である。
図２は、本発明の実施形態に係る植木鉢の断面図である。
【００２３】
本発明の実施形態に係る植木鉢１００は、金属製であり、樹木・植物３の設置予定箇所の地中又は構造物に、鉢底部を下にして埋め込んで使用され、固定用鉢本体１と、移動用鉢本体２と、を備える。
【００２４】
固定用鉢本体１は、樹木・植物３の設置予定箇所に埋め込まれている。
移動用鉢本体２は、固定用鉢本体１の内側に配置されており、樹木・植物３が植えられている。固定用鉢本体１、移動用鉢本体２のサイズは、樹木・植物３が１本のみが埋め込むことができるほどの大きさに限られることなく、複数本が配置可能なサイズであってよい。
そして、植木鉢１００は、移動用鉢本体２の外面が固定用鉢本体１の内面に接するように挿入された二重構造である。
【００２５】
固定用鉢本体１には、固定用鉢水抜き穴４が形成されている。また、移動用鉢本体２には、移動用鉢水抜き穴５が形成されている。
固定用鉢水抜き穴４と移動用鉢水抜き穴５は、互いに重ならない位置で設けられている。固定用鉢水抜き穴４と移動用鉢水抜き穴５は、互いの水抜き穴を通して鉢内外の水の移動を可能にする。植木鉢１００は、固定用鉢本体１の内側と移動用鉢本体２の外側とが密着した構造にはなっているが、植木鉢１００は金属で形成されているので、表面がマイクロ単位の凹凸があることから、水の流動が可能である。なお、固定用鉢本体１の内面及び移動用鉢本体２の外面の少なくともいずれかに０．１ｃｍ以上１ｃｍ以下の突起を１つ以上設けてもよい。
【００２６】
また、植木鉢１００には水抜き穴（固定用鉢水抜き穴４、移動用鉢水抜き穴５）が設けられているが、固定用鉢水抜き穴４と移動用鉢水抜き穴５の水抜きの穴位置を互いに重ならない位置にすることで、移動用鉢本体２の鉢内部にある土砂が移動用鉢水抜き穴５から固定用鉢水抜き穴４と通って固定用鉢本体１よりも外側に漏れ出すのを防いでいる。
【００２７】
また、植木鉢１００には水抜き穴（固定用鉢水抜き穴４、移動用鉢水抜き穴５）が設けられているが、固定用鉢本体１と移動用鉢本体２の水抜き穴位置を互いに重ならない位置にすることで、移動用鉢本体２に植えられた樹木・植物３の根が固定用鉢本体１の鉢外部への根の張り出しを防いでいる。固定用鉢本体１と移動用鉢本体２のそれぞれの水抜き穴位置が重なると、樹木・植物３の根が移動用鉢本体２内部から移動用鉢水抜き穴５及び固定用鉢水抜き穴４を通って、固定用鉢本体１よりも外側に張り出す恐れがあるので、固定用鉢水抜き穴４と移動用鉢水抜き穴５が互いに重ならない位置で穴位置が形成されている。
【００２８】
また、固定用鉢本体１及び移動用鉢本体２は、その形状が、各鉢底部に向かって内法寸法が細くなる多角錐形状（例えば、六角錐等）に形成されている。
これにより、固定用鉢本体１の内部に移動用鉢本体２をスムーズに移設できる。
また、風の影響による樹木・植物３自身の回転と樹木・植物３が植木鉢１００に及ぼす回転を抑制し、固定用鉢本体１の固定用ボルト７に掛かる負荷を軽減できる。
また、円柱又は鉢底部に向かって細くなる円錐の植木鉢の構造では、風の影響による樹木・植物３の回転の影響により、植木鉢１００の回転の抑制が困難である。しかしながら、植木鉢１００を鉢底部に向かって細くなる多角錐の構造にすると移動用鉢本体２の外側の辺が固定用鉢本体１の内側の辺に絡むことで、樹木・植物３の回転の影響による回転を抑制することができる。
【００２９】
このような植木鉢１００は、以下の手順で設置される。まず、移動用鉢本体２の内部に樹木・植物３を植え、鉢内部の土砂や根の状態が安定した時期に移動用鉢本体２を固定用鉢本体１の内側に移設する。そして、移動用鉢本体２に設けられた吊り金具１６にワイヤーやロープで繋がれたワイヤーフック１７を連結して移動用鉢本体２を吊り上げ、固定用鉢本体１の内側に移動用鉢本体２の外側が接するように挿入する。
【００３０】
なお、移動用鉢本体２に設けられた吊り金具１６は移動用鉢本体２の淵上面よりも低い位置に設けられているので、移動用鉢本体２の内部の樹木・植物の土砂を被せることで吊り金具１６は見えない構造になっている。
【００３１】
図３は、転倒防止フランジを含む、本発明の実施形態に係る植木鉢の斜視図である。
図４は、転倒防止フランジを設置した、本発明の実施形態に係る植木鉢の断面図である。
【００３２】
固定用鉢本体１には、上端の縁の少なくとも一部に、上端の縁から外側に突出するフランジ６が形成されている。
転倒防止フランジ８は、フランジに沿って、移動用鉢本体２の内側に突出した形状に形成された金属製のプレートであり、フランジ６の上に配置されている。
また、転倒防止フランジ８は、固定用ボルト７により、設置場所に打ち込まれるラセン杭１３と接続され、設置場所及びフランジ６に固定されている。
【００３３】
これにより、移動用鉢本体２を固定用鉢本体１の内部に移設した後、移動用鉢本体２が固定用鉢本体１と密着して固定されるように、転倒防止フランジ８のボルト穴を固定用鉢本体１の固定用ボルト７に通して、固定用鉢本体１のフランジ６に転倒防止フランジ８を、移動用鉢本体２の内側に被せるようにし、固定用ボルト７にワッシャー・ナットを締め付けて接続する。このような転倒防止フランジ８を設置することにより、植木鉢１００上部からの土砂の流出も同時に防ぐ構造になっている。
【００３４】
図５は、転倒防止フランジを設置した、本発明の実施形態に係る植木鉢の斜視図である。
図６は、転倒防止フランジ及び転倒防止支柱を設置した、本発明の実施形態に係る植木鉢の斜視図である。
【００３５】
転倒防止支柱器具９は、樹木・植物３の幹に固定され、分割式になっており、ボルト・ナット等で組み合わされる樹木・植物カバー１２と、樹木・植物カバー１２から斜め下方に延びる一対の支柱部と、一対の支柱部の下端を連結する支柱フランジ１０と、を備える。また、樹木・植物３の幹に傷がつかないように樹木・植物３の幹と樹木・植物カバー１２との間には、クッションゴム１１が設けられている。
【００３６】
このような転倒防止支柱器具９は、移動用鉢本体２を固定用鉢本体１の内部に挿入し、転倒防止フランジ８を接続した後、上端側（樹木・植物カバー１２）を樹木・植物３の幹に取り付け、下端側（支柱フランジ１０）を転倒防止フランジ８に固定する。これにより、樹木・植物３を支える点を植木鉢１００上面よりも上部に位置させることが可能となり、樹木・植物３の転倒防止の性能を向上させることができる。
【００３７】
図７は、本発明の実施形態に係る植木鉢を地盤である土や泥などに固定した場合の断面図である。
設置個所の周りが土砂等の自然環境の場合は、下端側が設置個所に打ち込んだラセン杭１３の上端側に接合された固定用ボルト７を固定用鉢本体1に配し、移動用鉢本体２を固定用鉢本体１の内部に挿入後、樹木・植物３が転倒しないように転倒防止フランジ８と転倒防止支柱器具９を固定用ボルト７に接続する。
【００３８】
図８は、本発明の実施形態に係る植木鉢をコンクリート等に囲まれた設置個所に固定した場合の断面図である。
設置個所の周りがコンクリート等の構造物の場合は、下端側が設置個所に打ち込まれたＬ型アンカー１４の上端側を固定用鉢本体１に配し、移動用鉢本体２を固定用鉢本体１の内部に挿入後、樹木・植物が転倒しないように転倒防止フランジ８と転倒防止支柱器具９をＬ型アンカー１４の上端側に接続する。
【００３９】
本実施形態によれば、以下の作用効果を奏する。
植木鉢１００によれば、樹木・植物は移動用鉢本体２に植えられていて、既に設置された樹木・植物の移動用鉢本体２を固定用鉢本体１に接続されている転倒防止支柱器具９と転倒防止フランジ８を固定用ボルト７から取り外して抜き出し、新たに入れたい樹木・植物が植えられた移動用鉢本体２を固定用鉢本体１に挿入する事で従来の手間と労力を軽減して樹木・植物を入れ替えることができる。
【００４０】
また、植木鉢１００によれば、固定用鉢本体１と移動用鉢本体２とが重なる二重構造とすることで、樹木・植物の入れ替えが容易になり、街路樹などは成長し過ぎる前に入れ替えることができるので、高所の樹木・植物の剪定が必要でなくなる。
【００４１】
また、植木鉢１００によれば、固定用鉢本体１と移動用鉢本体２とが重なる二重構造とすることで、樹木・植物の入れ替えが容易になり、庭の景観を変化させる庭造りが容易である。また、移動用鉢本体に植えられた樹木・植物を仮に置いてみて目視での庭造りの構想なども可能になる。
【００４２】
また、植木鉢１００によれば、樹木・植物を新しく植え替える際に転倒防止のための添え木に代え、固定用鉢本体１に転倒防止フランジ８と転倒防止支柱器具９を設置することで、樹木・植物を必要としていた空間をより少ないスペースで設置可能となる。
【００４３】
また、植木鉢１００によれば、固定用鉢本体１と移動用鉢本体２とが重なる二重構造とすることで、樹木・植物の入れ替えが容易になり、植え替え時に、従来のような作業スペースが不用となるので、樹木・植物を必要としていた空間をより少ないスペースで設置可能となる。
【００４４】
なお、本発明は前記実施形態に限定されるものではなく、本発明の目的を達成できる範囲での変形、改良等は本発明に含まれるものである。
【符号の説明】
【００４５】
１    固定用鉢本体
２    移動用鉢本体
３    樹木・植物
４    固定用鉢水抜き穴
５    移動用鉢水抜き穴
６    固定用鉢フランジ
７    固定用ボルト
８    転倒防止フランジ
９    転倒防止支柱器具
１０    支柱フランジ
１１    クッションゴム
１２    樹木・植物カバー
１３    ラセン杭
１４    Ｌ型アンカー
１５    コンクリート基礎
１６    吊り金具
１７    ワイヤーフック
１００  植木鉢
【図１】
0006738172.tif 000002
【図２】
0006738172.tif 000003
【図３】
0006738172.tif 000004
【図４】
0006738172.tif 000005
【図５】
0006738172.tif 000006
【図６】
0006738172.tif 000007
【図７】
0006738172.tif 000008
【図８】
0006738172.tif 000009